(57)【特許請求の範囲】
【請求項１】
貫通孔が形成されている面を持つ筐体と、
前記筐体の内部に配置されていて交流電力を直流電力に変換する機能を有する電力変換器と、
第１の端部が前記電力変換器に接続されていて第２の端部が前記筐体の外部に位置するケーブルと、
前記筐体の外部の空間であって前記ケーブルの一部が位置する空間を覆うことが可能で着脱可能な外部カバーと、
前記筐体の外部に位置していて前記ケーブルの前記空間からの出口である引出口が形成されており前記ケーブルの一部を支持するための複数の支持部とを備え、
前記ケーブルの前記第１の端部と前記第２の端部との間の第１の部位は、前記筐体の前記面に形成されている前記貫通孔に位置しており、
前記ケーブルの前記第１の部位と前記第２の端部との間の第２の部位は、前記複数の支持部のうちのいずれかの支持部によって支持され、
前記外部カバーが前記空間を覆う場合、前記ケーブルの前記第２の部位より前記第２の端部の側の部位は、前記空間の外部に位置し、
前記貫通孔から前記複数の支持部のうちのひとつの支持部への向きは、前記貫通孔から前記複数の支持部のうちの前記ひとつの支持部以外の支持部への向きと異なり、
前記筐体が持つ前記面は、前記筐体の上面であり、
前記複数の支持部は、前記筐体の前記上面に位置し、
前記筐体の前記上面の前記空間に位置していて前記ケーブルの前記第１の部位と前記第２の部位との間の第３の部位と前記筐体の前記貫通孔とを覆う内部カバーを更に備える、
ことを特徴とする充電装置。
【請求項２】
前記ケーブルの前記第２の部位を前記複数の支持部のうちのいずれかの支持部に固定する第１の固定部材
を更に備えることを特徴とする請求項１に記載の充電装置。
【請求項３】
前記ケーブルの前記第１の部位と前記第２の部位との間の前記第３の部位を前記筐体の前記面に固定する第２の固定部材
を更に備えることを特徴とする請求項１又は２に記載の充電装置。
【請求項４】
前記空間に位置していて前記ケーブルの前記第１の部位と前記第２の部位との間の前記第３の部位と前記筐体の前記貫通孔とを覆う板部を更に備え、
前記第２の固定部材は、前記板部又は前記内部カバーに取り付けられる
ことを特徴とする請求項３に記載の充電装置。
【請求項５】
前記ケーブルのうちの前記第３の部位より前記貫通孔の側の部位は、外皮によって覆われていない
ことを特徴とする請求項１から４のいずれか１項に記載の充電装置。
【請求項６】
前記筐体の側面に取り付けられて前記ケーブルのうちの前記外部カバーに覆われない部分を保持するホルダを更に備え、
前記筐体の前記側面は、前記ホルダが取り付けられる被取付け部を有する
ことを特徴とする請求項１から５のいずれか１項に記載の充電装置。
【請求項７】
貫通孔が形成されている面を持つ筐体と、
前記筐体の内部に配置されていて交流電力を直流電力に変換する機能を有する電力変換器と、
第１の端部が前記電力変換器に接続されていて第２の端部が前記筐体の外部に位置するケーブルと、
前記筐体の外部の空間であって前記ケーブルの一部が位置する空間を覆うことが可能で着脱可能な外部カバーと、
前記筐体の外部に位置していて前記ケーブルの前記空間からの出口である引出口が形成されており前記ケーブルの一部を支持するための複数の支持部とを備え、
前記ケーブルの前記第１の端部と前記第２の端部との間の第１の部位は、前記筐体の前記面に形成されている前記貫通孔に位置しており、
前記ケーブルの前記第１の部位と前記第２の端部との間の第２の部位は、前記複数の支持部のうちのいずれかの支持部によって支持され、
前記外部カバーが前記空間を覆う場合、前記ケーブルの前記第２の部位より前記第２の端部の側の部位は、前記空間の外部に位置し、
前記貫通孔から前記複数の支持部のうちのひとつの支持部への向きは、前記貫通孔から前記複数の支持部のうちの前記ひとつの支持部以外の支持部への向きと異なり、
前記筐体が持つ前記面は、前記筐体の底面であり、
前記複数の支持部は、前記筐体の前記底面に位置し、
前記筐体の前記底面の前記空間に位置していて前記ケーブルの前記第１の部位と前記第２の部位との間の第３の部位と前記筐体の前記貫通孔とを覆う内部カバーと、
前記筐体を支える脚部を更に備え、
前記脚部は、前記複数の支持部の機能を有する
ことを特徴とする充電装置。
【発明の詳細な説明】
【技術分野】
【０００１】
本発明は、蓄電池を充電する充電装置に関する。
【背景技術】
【０００２】
電気自動車用の一般的な車両充放電装置では、充放電用のケーブルの引出口がひとつに限定されている。電気自動車の充電口の位置は車種により異なるため、車両充放電装置が設置される位置は、電気自動車の充電口の位置と、車両充放電装置から引き出される充放電ケーブルの引出口の位置とにより制限される。車両充放電装置が設置される位置が制限されることを解消するために、従来、充電用のケーブルの引出口が筐体の垂直な複数の壁面のうちの二つ以上の面に設けられた車両用充電装置が提案されている（例えば、特許文献１参照）。
【先行技術文献】
【特許文献】
【０００３】
【特許文献１】特開２０１４−１８０１２２号公報
【発明の概要】
【発明が解決しようとする課題】
【０００４】
しかしながら、従来の車両用充電装置は、充電用のケーブルの引出口を変更するために、比較的多くの構成要素を有している。構成要素の例は、ガイドローラ、取付板及びアーム部材である。ガイドローラは、比較的複雑な構造で他の構成要素と連結されている。従来の車両用充電装置には、充電用のケーブルの引出口を変更する場合、ガイドローラの位置を変更する必要があるため、当該引出口を変更するために比較的長い時間を要するという問題がある。充電用のケーブルの引出口を比較的簡便に変更することができる充電装置が提供されることが要求されている。【０００５】
本発明は、上記に鑑みてなされたものであって、充電用のケーブルが配置される引出口を比較的簡便に変更させることができる充電装置を得ることを目的とする。
【課題を解決するための手段】
【０００６】
上述した課題を解決し、目的を達成するために、本発明は、貫通孔が形成されている面を持つ筐体と、筐体の内部に配置されていて交流電力を直流電力に変換する機能を有する電力変換器と、第１の端部が電力変換器に接続されていて第２の端部が筐体の外部に位置するケーブルと、筐体の外部の空間であってケーブルの一部が位置する空間を覆うことが可能で着脱可能な外部カバーと、筐体の外部に位置していてケーブルの空間からの出口である引出口が形成されておりケーブルの一部を支持するための複数の支持部とを有する。ケーブルの第１の端部と第２の端部との間の第１の部位は、筐体の上記の面に形成されている貫通孔に位置している。ケーブルの第１の部位と第２の端部との間の第２の部位は、複数の支持部のうちのいずれかの支持部によって支持される。外部カバーが空間を覆う場合、ケーブルの第２の部位より第２の端部の側の部位は、空間の外部に位置する。貫通孔から複数の支持部のうちのひとつの支持部への向きは、貫通孔から複数の支持部のうちのひとつの支持部以外の支持部への向きと異なる。筐体が持つ上記の面は、筐体の上面であり、複数の支持部は、筐体の上面に位置している。本発明は、筐体の上面の空間に位置していてケーブルの第１の部位と第２の部位との間の第３の部位と筐体の貫通孔とを覆う内部カバーを更に有する。
【発明の効果】
【０００７】
本発明は、充電用のケーブルが配置される引出口を比較的簡便に変更させることができるという効果を奏する。
【図面の簡単な説明】
【０００８】
【図１】実施の形態１にかかる充電装置の外観を模式的に示す斜視図
【図２】実施の形態１にかかる充電装置が有する複数の構成要素の一部が分解された状態で模式的に示されている充電装置の構成を示す斜視図
【図３】実施の形態１にかかる充電装置が有する筐体の内部を模式的に示す平面図
【図４】実施の形態１にかかる充電装置が有する筐体の一部の外観を模式的に示す斜視図
【図５】実施の形態１にかかる充電装置が有する筐体の上面を模式的に示す第１の平面図
【図６】実施の形態１にかかる充電装置が有する筐体の上面を模式的に示す第２の平面図
【図７】実施の形態１にかかる充電装置が有する第２の固定部材を模式的に示す斜視図
【図８】実施の形態１にかかる充電装置が有する筐体の上面を模式的に示す第３の平面図
【図９】実施の形態１にかかる充電装置が有する筐体の上面を模式的に示す第４の平面図
【図１０】実施の形態１にかかる充電装置が有する内部カバーを模式的に示す斜視図
【図１１】実施の形態１にかかる充電装置が有する内部カバーが配置される場所を説明するための図
【図１２】実施の形態１にかかる充電装置が有する内部カバーが筐体の上面に配置されている様子を模式的に示す図
【図１３】実施の形態１にかかる充電装置が有する筐体の被取付け部を説明するための図
【図１４】実施の形態１にかかる充電装置が有するホルダの平面図
【図１５】実施の形態１にかかる充電装置が有するホルダが筐体の一方の側面に取り付けられた様子を模式的に示す平面図
【図１６】実施の形態１にかかる充電装置が有するホルダが筐体の他方の側面に取り付けられた様子を模式的に示す平面図
【図１７】実施の形態１にかかる充電装置が有する内部カバーの内部のケーブルを説明するための図
【図１８】実施の形態１の第１の変形例にかかる充電装置が有する内部カバー及び板部を模式的に示す斜視図
【図１９】実施の形態１の第２の変形例にかかる充電装置が有する内部カバー及び板部を模式的に示す斜視図
【図２０】実施の形態１の第２の変形例にかかる充電装置が有する内部カバーが筐体の上面に配置されている様子を模式的に示す図
【図２１】実施の形態２にかかる充電装置の外観を模式的に示す斜視図
【図２２】実施の形態２にかかる充電装置が有する底部の側の複数の構成要素の一部が分解された状態で模式的に示されている充電装置の構成を示す斜視図
【発明を実施するための形態】
【０００９】
以下に、本発明の実施の形態にかかる充電装置を図面に基づいて詳細に説明する。なお、この実施の形態によりこの発明が限定されるものではない。
【００１０】
実施の形態１．
図１は、実施の形態１にかかる充電装置１の外観を模式的に示す斜視図である。充電装置１は、電力系統から供給される交流電力を直流電力に変換して変換によって得られた直流電力を用いて蓄電池を充電する機能を有する。電力系統及び蓄電池は、図面には示されていない。蓄電池は、例えば電気自動車に搭載されている。
【００１１】
充電装置１は、電子部品が収納されている筐体２を有する。実施の形態１の筐体２の形状は、直方体である。筐体２の正面の側は、開口している。図１には、電子部品は示されていない。電子部品のひとつは、交流電力を直流電力に変換する機能を有する電力変換器である。充電装置１は、筐体２の内部に配置されている電力変換器と蓄電池とを接続するためのケーブル３を更に有する。ケーブル３は、電力を運ぶためのものであって、蓄電池を充電する際に用いられる。つまり、ケーブル３は充電用のケーブルである。ケーブル３の蓄電池に接続される側の端部には、コネクタ４が取り付けられている。
【００１２】
充電装置１は、筐体２の上面を覆うことができる外部カバー５を更に有する。外部カバー５は、筐体２に対して着脱可能なものである。外部カバー５は、ケーブル３のうちの筐体２の上面に位置する部分を覆うことができる。図１は、外部カバー５が筐体２に取り付けられていて筐体２の上面を覆っている状態を示している。更に言うと、図１は、外部カバー５がケーブル３の一部を覆っている状態を示している。充電装置１は、ケーブル３の一部を支持するための複数の支持部を更に有する。図１には、複数の支持部のうちのひとつの支持部である第１支持部６Ａが示されている。
【００１３】
充電装置１は、筐体２の側面に取り付けられるホルダ７を更に有する。ホルダ７は、ケーブルのうちの外部カバー５に覆われない部分を保持する。ホルダ７は、ケーブル３の一方の端部に取り付けられているコネクタ４を収納するための収納部７１を有する。充電装置１は、筐体２の正面の側の開口部を覆う正面カバー８と、筐体２を支える脚部９とを更に有する。脚部９は、第１脚部９Ａと第２脚部９Ｂとを有する。充電装置１は、脚部９を覆う脚カバー１０を更に有する。脚カバー１０は、脚部９に対して着脱可能なものである。
【００１４】
図２は、実施の形態１にかかる充電装置１が有する複数の構成要素の一部が分解された状態で模式的に示されている充電装置１の構成を示す斜視図である。上述の通り、充電装置１は筐体２を有しており、筐体２は上面２１と側面２２とを有する。上面２１は、筐体２が持つ面のひとつである。ホルダ７は、筐体２の側面２２に取り付けられる。
【００１５】
図２において模式的に示されている通り、充電装置１は、筐体２の内部に配置されている電力変換器１１を有する。電力変換器１１は、蓄電池を充電させるために電力系統から供給された交流電力を直流電力に変換する機能を有する。ケーブル３の第１の端部は電力変換器１１に接続されていて、ケーブル３の第２の端部は筐体２の外部に位置する。
【００１６】
上述の通り、外部カバー５は着脱可能なものである。図２は、外部カバー５が筐体２から取り外された状態を示している。外部カバー５は、筐体２の外部の空間であってケーブル３の一部が位置する空間を覆うことができる。更に言うと、外部カバー５は、筐体２の上面２１の外部の空間を覆うことができる。ケーブル３の一部は、筐体２の上面２１の上に配置されている。充電装置１は、ケーブル３の一部を筐体２の上面２１に固定する第２の固定部材１２を更に有する。第２の固定部材１２については、図５、図６及び図７を用いて後にあらためて説明する。充電装置１は、第１の固定部材を更に有する。第１の固定部材については、図７、図８及び図９を用いて後述する。
【００１７】
図２には、筐体２の外部に位置している第１支持部６Ａ及び第２支持部６Ｂが示されている。第１支持部６Ａ及び第２支持部６Ｂはいずれも、ケーブル３の一部を支持するための複数の支持部のうちのひとつの支持部である。第１支持部６Ａ及び第２支持部６Ｂはいずれも、筐体２の上面２１に位置している。第２支持部６Ｂには、ケーブル３の一部を支持するための切り欠き６１が形成されている。図２には示されていないが、第１支持部６Ａにも、ケーブル３の一部を支持するための切り欠き６１が形成されている。切り欠き６１は、ケーブル３の引出口６２を形成している。つまり、第１支持部６Ａ及び第２支持部６Ｂはいずれも、筐体２の外部に位置していてケーブル３の上記の空間からの出口である引出口６２が形成されておりケーブル３の一部を支持するためのものである。更に言うと、引出口６２は、ケーブル３の上記の空間から空間の外部への出口である。図２は、第１支持部６Ａが切り欠き６１でケーブル３の一部を支持している様子を示している。
【００１８】
図３は、実施の形態１にかかる充電装置１が有する筐体２の内部を模式的に示す平面図である。図３は、正面の側から背面の側への向きに筐体２を見た場合の筐体２の内部を模式的に示している。筐体２の内部には、電子部品が搭載されている基板１３が配置されている。ケーブル３は、複数の配線が外皮に覆われている部位３Ａと、外皮に覆われていない複数の配線３Ｂとを有する。外皮に覆われていない複数の配線３Ｂの各々の一方の端部は、電子部品に接続されている。
【００１９】
図４は、実施の形態１にかかる充電装置１が有する筐体２の一部の外観を模式的に示す斜視図である。筐体２は、上述の通り上面２１及び側面２２を有し、更に背面２３を有する。上面２１には、貫通孔２４が形成されている。例えば、貫通孔２４は、上面２１の長手方向の中央部に形成されている。ケーブル３の第１の端部と第２の端部との間の第１の部位は、貫通孔２４に位置している。
【００２０】
図５は、実施の形態１にかかる充電装置１が有する筐体２の上面２１を模式的に示す第１の平面図である。図６は、実施の形態１にかかる充電装置１が有する筐体２の上面２１を模式的に示す第２の平面図である。上述の通り、ケーブル３の一部を支持するための第１支持部６Ａ及び第２支持部６Ｂはいずれも、筐体２の上面２１に位置している。図２、図５及び図６において示されている通り、第１支持部６Ａは筐体２の上面２１の長手方向の一方の端部の側に位置しており、第２支持部６Ｂは筐体２の上面２１の長手方向の他方の端部の側に位置している。上面２１に形成されている貫通孔２４から第１支持部６Ａへの向きは、貫通孔２４から第２支持部６Ｂへの向きと異なる。
【００２１】
図５及び図６は、ケーブル３の第１の端部と第２の端部との間の第１の部位３１を示している。上述の通り、ケーブル３の第１の部位３１は、上面２１に形成されている貫通孔２４に位置している。図５は、ケーブル３の第１の部位３１と第２の端部との間の第２の部位３２が第１支持部６Ａによって支持される状態を示している。具体的には、ケーブル３の第２の部位３２は、第１支持部６Ａに形成されている切り欠き６１に位置し、それによって第１支持部６Ａに支持される。
【００２２】
図６は、ケーブル３の第２の部位３２が第２支持部６Ｂによって支持される状態を示している。具体的には、ケーブル３の第２の部位３２は、第２支持部６Ｂに形成されている切り欠き６１に位置し、それによって第２支持部６Ｂに支持される。ケーブル３の第１の部位３１より第２の端部の側の部位の可撓性は比較的高く、第２の部位３２を第１支持部６Ａで支持させることも、第２支持部６Ｂで支持させることも可能である。
【００２３】
上述の通り、充電装置１は、ケーブル３の一部を筐体２の上面２１に固定する第２の固定部材１２を有する。具体的には、第２の固定部材１２は、ケーブル３の第１の部位３１と第２の部位３２との間の第３の部位３３を筐体２の上面２１に固定する。図７は、実施の形態１にかかる充電装置１が有する第２の固定部材１２を模式的に示す斜視図である。
【００２４】
実施の形態１では、第２の固定部材１２は、第１平面部１２Ａと、第２平面部１２Ｂと、第１平面部１２Ａと第２平面部１２Ｂとを接続している曲面部１２Ｃとを有するΩ字状の構成要素である。第１平面部１２Ａには貫通孔１２Ｄが形成されており、第２平面部１２Ｂには貫通孔１２Ｅが形成されている。曲面部１２Ｃがケーブル３の第３の部位３３を覆うと共に第１平面部１２Ａ及び第２平面部１２Ｂが例えばネジによって上面２１に取り付けられることにより、第２の固定部材１２は、ケーブル３の第３の部位３３を筐体２の上面２１に固定する。ネジは、貫通孔１２Ｄ及び貫通孔１２Ｅを貫通する。
【００２５】
図８は、実施の形態１にかかる充電装置１が有する筐体２の上面２１を模式的に示す第３の平面図である。図９は、実施の形態１にかかる充電装置１が有する筐体２の上面２１を模式的に示す第４の平面図である。図８及び図９に示されている通り、充電装置１は、ケーブル３の第２の部位３２を第１支持部６Ａ又は第２支持部６Ｂに固定する第１の固定部材１４を有する。第１の固定部材１４は、例えば第２の固定部材１２と同じ構造の構成要素である。つまり、第１の固定部材１４は、例えば図７において示されている第２の固定部材１２と同じ構造の構成要素である。
【００２６】
第１の固定部材１４は、筐体２の上面２１から取り外すことができる構成要素である。つまり、第１の固定部材１４は、筐体２の上面２１に対して着脱可能な構成要素である。ケーブル３の第２の部位３２が第１支持部６Ａに配置される場合、第１の固定部材１４は、例えばネジが用いられて上面２１に取り付けられ、それにより第２の部位３２を第１支持部６Ａに固定する。第２の部位３２が第２支持部６Ｂに配置される場合、第１の固定部材１４は、例えばネジが用いられて上面２１に取り付けられ、それにより第２の部位３２を第２支持部６Ｂに固定する。
【００２７】
上述の通り、第１支持部６Ａ及び第２支持部６Ｂの各々には切り欠き６１が形成されている。切り欠き６１は、ケーブル３の引出口６２を形成している。つまり、第１支持部６Ａ及び第２支持部６Ｂにはいずれも、ケーブル３の引出口６２が形成されている。第１支持部６Ａ及び第２支持部６Ｂにケーブル３の引出口６２が形成されているので、ケーブル３の第２の部位３２が第１支持部６Ａ又は第２支持部６Ｂに配置された後に外部カバー５が上記の空間を覆う場合、ケーブル３の第２の部位３２より第２の端部の側の部位は、上記の空間の外部に位置する。実施の形態１では、上記の空間は、筐体２の上面２１の外部の空間である。
【００２８】
充電装置１は、上記の空間に位置していてケーブル３の第３の部位３３と筐体２の貫通孔２４とを覆う内部カバー１５を更に有する。図１０は、実施の形態１にかかる充電装置１が有する内部カバー１５を模式的に示す斜視図である。図１０に示される通り、内部カバー１５は、箱部１５Ａと平面である外周部１５Ｂとを有する。箱部１５Ａのひとつの側面には、ケーブル３が通るケーブル孔１５Ｃが形成されている。箱部１５Ａにおいて、上面１５Ｄと対向する部分は開口部である。外周部１５Ｂは、箱部１５Ａの側面に設けられている。更に言うと、外周部１５Ｂは、箱部１５Ａの側面の外部に位置している。
【００２９】
図１１は、実施の形態１にかかる充電装置１が有する内部カバー１５が配置される場所を説明するための図である。図１１は、実施の形態１にかかる充電装置１が有する筐体２の上面２１を模式的に示している。図１１は、内部カバー１５が配置される場所を示す枠１６を示している。枠１６は、筐体２の上面２１に位置しており、内部カバー１５の外周部１５Ｂが配置される。
【００３０】
図１２は、実施の形態１にかかる充電装置１が有する内部カバー１５が筐体２の上面２１に配置されている様子を模式的に示す図である。内部カバー１５は、外周部１５Ｂが枠１６に配置されることにより、筐体２の上面２１に配置される。その際、ケーブル３は、内部カバー１５のケーブル孔１５Ｃと開口部とを通るように配置される。内部カバー１５は、ケーブル３の第３の部位３３と筐体２の貫通孔２４とを覆う。ケーブル孔１５Ｃは背面の側に位置しているので、図１２では、ケーブル孔１５Ｃは示されていない。
【００３１】
上述の通り、充電装置１は、筐体２の側面２２に取り付けられるホルダ７を有している。ホルダ７は、ケーブル３のうちの外部カバー５に覆われない部分を保持する。ホルダ７は、筐体２の側面２２に取り付けられる。図１３は、実施の形態１にかかる充電装置１が有する筐体２の被取付け部１７を説明するための図である。具体的には、図１３は、筐体２を正面側から見た場合の筐体２の斜視図である。被取付け部１７は、第１の被取付け部１７Ａと第２の被取付け部１７Ｂとを有する。第１の被取付け部１７Ａは実線の楕円で囲まれた部位であり、第２の被取付け部１７Ｂは破線の楕円で囲まれた部位である。
【００３２】
第１の被取付け部１７Ａは、筐体２の一方の側面２２Ａの一部であって、底面より上面２１の側の場所に位置している。第１の被取付け部１７Ａには、ホルダ７を筐体２に取り付けるための複数の第１の取付け孔１８が形成されている。第２の被取付け部１７Ｂは、筐体２の他方の側面２２Ｂの一部であって、底面より上面２１の側の場所に位置している。図１３には示されていないが、第２の被取付け部１７Ｂにも、ホルダ７を筐体２に取り付けるための複数の第１の取付け孔１８が形成されている。
【００３３】
図１４は、実施の形態１にかかる充電装置１が有するホルダ７の平面図である。具体的には、図１４は、ホルダ７を正面側から見た場合のホルダ７の平面図である。当該正面側は、ホルダ７の収納部７１が設けられている側である。収納部７１は、ケーブル３の第２の端部に取り付けられているコネクタ４を収納するための構成要素である。ホルダ７には、ホルダ７を筐体２に取り付けるための複数の第２の取付け孔７２が形成されている。
【００３４】
図１５は、実施の形態１にかかる充電装置１が有するホルダ７が筐体２の一方の側面２２Ａに取り付けられた様子を模式的に示す平面図である。図１６は、実施の形態１にかかる充電装置１が有するホルダ７が筐体２の他方の側面２２Ｂに取り付けられた様子を模式的に示す平面図である。図１５及び図１６は、充電装置１が有する筐体２の上面２１及びホルダ７を模式的に示している。
【００３５】
ホルダ７の複数の第２の取付け孔７２の位置と、筐体２の一方の側面２２Ａの一部である第１の被取付け部１７Ａに形成されている複数の第１の取付け孔１８の位置とを一致させた後、複数の第２の取付け孔７２と複数の第１の取付け孔１８とにネジを挿入してホルダ７を第１の被取付け部１７Ａに取り付ける。これにより、図１５に示されている通り、ホルダ７は筐体２の一方の側面２２Ａの一部に取り付けられる。
【００３６】
ホルダ７の複数の第２の取付け孔７２の位置と、筐体２の他方の側面２２Ｂの一部である第２の被取付け部１７Ｂに形成されている複数の第１の取付け孔１８の位置とを一致させた後、複数の第２の取付け孔７２と複数の第１の取付け孔１８とにネジを挿入してホルダ７を第２の被取付け部１７Ｂに取り付ける。これにより、図１６に示されている通り、ホルダ７は筐体２の他方の側面２２Ｂに取り付けられる。
【００３７】
第１の被取付け部１７Ａが筐体２の一方の側面２２Ａに位置し、第２の被取付け部１７Ｂが筐体２の他方の側面２２Ｂに位置している。そのため、図１５及び図１６を用いて説明したように、ホルダ７を、筐体２の一方の側面２２Ａに取り付けることも筐体２の他方の側面２２Ｂに取り付けることもできる。
【００３８】
上述の通り、実施の形態１にかかる充電装置１は、貫通孔２４が形成されている上面２１を持つ筐体２と、第２の端部が筐体２の外部に位置するケーブル３と、筐体２の外部の空間を覆うことが可能で筐体２に対して着脱可能な外部カバー５と、引出口６２が形成されていてケーブル３の一部を支持するための第１支持部６Ａ及び第２支持部６Ｂとを有する。ケーブル３の第１の部位３１と第２の端部との間の第２の部位３２は、第１支持部６Ａ又は第２支持部６Ｂによって支持される。筐体２の上面２１に形成されている貫通孔２４から第１支持部６Ａへの向きは、貫通孔２４から第２支持部６Ｂへの向きと異なる。
【００３９】
外部カバー５が筐体２に対して着脱可能であるため、ケーブル３の向きを比較的簡便に変更することができる。第１支持部６Ａ及び第２支持部６Ｂにはいずれも引出口６２が形成されていて、貫通孔２４から第１支持部６Ａへの向きが貫通孔２４から第２支持部６Ｂへの向きと異なる。すなわち、実施の形態１にかかる充電装置１によれば、ユーザは、ケーブル３が配置される引出口６２を比較的簡単に、更に言うと比較的短時間で変更することができる。したがって、充電装置１は、ケーブル３が配置される引出口６２を比較的簡便に変更させることができる。
【００４０】
充電装置１は、ケーブル３の第２の部位３２を第１支持部６Ａ又は第２支持部６Ｂに固定する第１の固定部材１４を有する。第１の固定部材１４により、ケーブル３がユーザに引っ張られることが抑制される。つまり、第１の固定部材１４は、ケーブル３が損傷することを抑制することができる。すなわち、充電装置１は、ケーブル３が損傷することを抑制することができる。なお、充電装置１は第１の固定部材１４を有していなくてもよい。
【００４１】
充電装置１は、ケーブル３の第３の部位３３を筐体２の上面２１に固定する第２の固定部材１２を有する。第２の固定部材１２は、配置されるケーブル３の引出口６２が変更される際にケーブル３がユーザに引っ張られることによりケーブル３が損傷することを抑制することができる。すなわち、充電装置１は、配置されるケーブル３の引出口６２が変更される際にケーブル３が損傷することを抑制することができる。なお、充電装置１は第２の固定部材１２を有していなくてもよい。
【００４２】
充電装置１は、ケーブル３の第３の部位３３と筐体２の貫通孔２４とを覆う内部カバー１５を有する。内部カバー１５は、筐体２の内部に異物が侵入することを抑制することができる。すなわち、充電装置１は、筐体２の内部に異物が侵入することを抑制することができる。異物の例は、水又は虫である。なお、充電装置１は内部カバー１５を有していなくてもよい。
【００４３】
充電装置１は、筐体２の側面２２に取り付けられるホルダ７を有する。筐体２の一方の側面２２Ａにはホルダ７が取り付けられる第１の被取付け部１７Ａが位置しており、筐体２の他方の側面２２Ｂにはホルダ７が取り付けられる第２の被取付け部１７Ｂが位置している。そのため、配置されるケーブル３の引出口６２が変更されても、外部カバー５の外部のケーブル３をホルダ７によって保持することができる。すなわち、充電装置１は、配置されるケーブル３の引出口６２が変更されても筐体２の外部に位置するケーブル３を保持することができる。なお、充電装置１は、ホルダ７を有していなくてもよい。筐体２の側面２２には、複数の第１の取付け孔１８が形成されていなくてもよい。
【００４４】
充電装置１は、筐体２の上面２１に位置する第１支持部６Ａ及び第２支持部６Ｂを有する。第１支持部６Ａ及び第２支持部６Ｂにはいずれにも、ケーブル３の引出口６２が形成されている。上面２１は、筐体２の底部より高い場所に位置している。そのため、ユーザは、配置されるケーブル３の引出口６２を比較的容易に変更することができる。すなわち、充電装置１は、配置されるケーブル３の引出口６２の変更を比較的容易にユーザに行わせることができる。
【００４５】
上述した実施の形態１では、複数の支持部の例は、第１支持部６Ａ及び第２支持部６Ｂである。しかしながら、複数の支持部の例は、第１支持部６Ａ及び第２支持部６Ｂに限定されない。いずれにしても、筐体２の上面２１に形成されている貫通孔２４から複数の支持部のうちのひとつの支持部への向きは、貫通孔２４から複数の支持部のうちの当該ひとつの支持部以外の支持部への向きと異なる。加えて、複数の支持部には、ケーブル３の引出口６２が形成されている。引出口６２は、切り欠き６１によって形成されていなくてもよい。引出口６２は、支持部に形成された貫通孔であってもよい。
【００４６】
なお、内部カバー１５の内部に位置するケーブル３の一部は、外皮によって覆われていなくてもよい。図１７は、実施の形態１にかかる充電装置１が有する内部カバー１５の内部のケーブル３を説明するための図である。説明の便宜上、図１７は、内部カバー１５を示しておらず、内部カバー１５が配置される場所を示す枠１６を示している。
【００４７】
具体的には、図１７は、内部カバー１５の内部に位置するケーブル３のうちの第３の部位３３より第２の端部の側の部位が複数の配線が外皮に覆われている部位３Ａであることを示している。加えて、図１７は、内部カバー１５の内部に位置するケーブル３のうちの第３の部位３３より貫通孔２４の側の部位が外皮に覆われていない複数の配線３Ｂであることを示している。図１７に示される通り、内部カバー１５の内部に位置するケーブル３のうちの第３の部位３３より貫通孔２４の側の部位は、外皮によって覆われていなくてもよい。
【００４８】
ケーブル３において、複数の配線が外皮に覆われている部位３Ａの許容される曲げ半径は、外皮に覆われていない複数の配線３Ｂの許容される曲げ半径より、外皮の分だけ大きい。ケーブル３が内部カバー１５の内部において外皮に覆われていない複数の配線３Ｂを有することにより、充電装置に必要なスペースを縮小することができる。具体的には、充電装置の奥行方向のスペースを縮小することができる。
【００４９】
上述した実施の形態１では、図１０、図１１及び図１２を用いて説明した通り、充電装置１は、筐体２の上面２１に配置される第２の固定部材１２と、ケーブル３の第３の部位３３と筐体２の貫通孔２４とを覆う内部カバー１５とを有する。しかしながら、充電装置は、図１８に示されるように、充電装置１が有する第２の固定部材１２及び内部カバー１５を有すると共に、板部１５Ｅを有してもよい。図１８は、実施の形態１の第１の変形例にかかる充電装置が有する内部カバー１５及び板部１５Ｅを模式的に示す斜視図である。第１の変形例にかかる充電装置では、板部１５Ｅには、ケーブル３が通る貫通孔１５Ｆと、内部カバー１５を板部１５Ｅに取り付けるための取付孔１５Ｇと、板部１５Ｅを筐体２の上面２１に取り付けるための取付孔１５Ｈと、第２の固定部材１２を板部１５Ｅに取り付けるための取付孔１５Ｉとが形成されている。
【００５０】
第１の変形例にかかる充電装置では、ケーブル３が、内部カバー１５の外部からケーブル孔１５Ｃに通されて板部１５Ｅの上に置かれる。その状態で、第２の固定部材１２、取付孔１５Ｉ及びネジが用いられて、ケーブル３が板部１５Ｅに固定される。つまり、第２の固定部材１２が板部１５Ｅに取り付けられる。この状態で、板部１５Ｅが、取付孔１５Ｈ及びネジが用いられて、筐体２の上面２１に取り付けられる。ケーブル３の第１の端部は、貫通孔１５Ｆを通った後に筐体２の貫通孔２４に通す。その後、内部カバー１５が、取付孔１５Ｇ及びネジが用いられて、板部１５Ｅに取り付けられる。図１８における矢印は、内部カバー１５が板部１５Ｅに取り付けられることを示している。この場合の外観は、図１２に示される外観と同様となる。取付孔１５Ｇ及び取付孔１５Ｉは、穴であってもよい。
【００５１】
内部カバー１５の箱部１５Ａの上面１５Ｄは、筐体２の上面２１に取りつけられてもよい。図１９は、実施の形態１の第２の変形例にかかる充電装置が有する内部カバー１５及び板部１５Ｅを模式的に示す斜視図である。図１９における矢印は、板部１５Ｅが内部カバー１５に取り付けられることを示している。第２の変形例にかかる充電装置では、内部カバー１５の箱部１５Ａの上面１５Ｄには、上面１５Ｄを筐体２の上面２１に取り付けるための取付孔１５Ｊと、第２の固定部材１２を用いてケーブル３を内部カバー１５の内側の上面１５Ｄに固定するための取付孔１５Ｋと、ケーブル３が通る貫通孔１５Ｌとが形成されている。板部１５Ｅには、板部１５Ｅを内部カバー１５に取り付けるための取付孔１５Ｇが形成されている。
【００５２】
第２の変形例にかかる充電装置では、内部カバー１５の上面１５Ｄが筐体２の上面２１に取り付けられ、板部１５Ｅが内部カバー１５の外周部１５Ｂに取り付けられる。図２０は、実施の形態１の第２の変形例にかかる充電装置が有する内部カバー１５が筐体２の上面２１に配置されている様子を模式的に示す図である。第２の変形例にかかる充電装置では、ケーブル３が内部カバー１５の外部からケーブル孔１５Ｃに通され、ケーブル３の一部が第２の固定部材１２、取付孔１５Ｋ及びネジが用いられて、内部カバー１５の内側の上面１５Ｄに固定される。つまり、第２の固定部材１２が内部カバー１５に取り付けられる。その後、ケーブル３の第１の端部は、貫通孔１５Ｌ及び貫通孔２４を通って筐体２の内部に配置され、取付孔１５Ｊ及びネジが用いられて、内部カバー１５の上面１５Ｄの外側の部位が筐体２の上面２１に取り付けられる。その後、取付孔１５Ｇ及びネジが用いられて、板部１５Ｅが内部カバー１５の外周部１５Ｂに取り付けられる。第２の変形例にかかる充電装置では、板部１５Ｅには、貫通孔１５Ｆ及び取付孔１５Ｈは形成されていなくてもよい。
【００５３】
実施の形態２．
図２１は、実施の形態２にかかる充電装置１Ａの外観を模式的に示す斜視図である。充電装置１Ａは、実施の形態１にかかる充電装置１と同様の装置である。充電装置１Ａでは、筐体２の上面ではなく底面に貫通孔が形成されている。充電装置１Ａは、第１脚部９Ｃ及び第２脚部９Ｄを有している。第１脚部９Ｃ及び第２脚部９Ｄの各々は、複数の支持部のうちのひとつの支持部の機能を有する。つまり、実施の形態２では、ケーブル３の引出口６２は筐体２の上面の側でなく底面の側に位置している。実施の形態２では、実施の形態１との相違点を主に説明する。
【００５４】
図２２は、実施の形態２にかかる充電装置１Ａが有する底部の側の複数の構成要素の一部が分解された状態で模式的に示されている充電装置１Ａの構成を示す斜視図である。第１脚部９Ｃ及び第２脚部９Ｄの各々の正面側の部位には、切り欠き６１が形成されている。筐体２の底面２５に貫通孔２４が形成されている。充電装置１Ａは、第１脚部９Ｃ及び第２脚部９Ｄを覆う着脱可能な脚カバー１０Ａを有する。脚カバー１０Ａは、第１脚部９Ｃ及び第２脚部９Ｄに対して着脱可能なものである。脚カバー１０Ａの曲げ部がケーブル３に干渉する場合にはケーブル３をよけるための干渉回避部１０Ｂが形成されていてもよい。例えば、干渉回避部１０ＢはＵ字状の切り欠きである。
【００５５】
実施の形態２では、ケーブル３の引出口６２は筐体２の上面の側でなく底面２５の側に位置している。そのため、蓄電池が電気自動車に搭載されている場合、電気自動車までのケーブル３を実施の形態１の場合より短くすることができる可能性がある。すなわち、実施の形態２にかかる充電装置１Ａは、ケーブル３の引出口６２が筐体２の底面２５の側に位置しているので、電気自動車までのケーブル３を実施の形態１にかかる充電装置１が有するケーブル３より短くする可能性を生じさせることができる。
【００５６】
なお、複数の支持部の例は、第１脚部９Ｃ及び第２脚部９Ｄに限定されない。いずれにしても、筐体２の底面２５に形成されている貫通孔２４から複数の支持部のうちのひとつの支持部への向きは、貫通孔２４から複数の支持部のうちの当該ひとつの支持部以外の支持部への向きと異なる。複数の支持部には、ケーブル３の引出口６２が形成されている。引出口６２は、切り欠き６１によって形成されていなくてもよい。引出口６２は、支持部に形成された貫通孔であってもよい。
【００５７】
なお、実施の形態１にかかる充電装置１及び実施の形態２にかかる充電装置１Ａは、充放電装置であってもよい。その場合、電力変換器１１は、交流電力を直流電力に変換する機能を有すると共に、蓄電池から供給される直流電力を交流電力に変換する機能を有する。充放電装置は、充電装置１又は充電装置１Ａの機能を有するので、充電装置１又は充電装置１Ａを有する装置である。
【００５８】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００５９】
１，１Ａ  充電装置、２  筐体、３  ケーブル、３Ａ  外皮に覆われている部位、３Ｂ  外皮に覆われていない複数の配線、４  コネクタ、５  外部カバー、６Ａ  第１支持部、６Ｂ  第２支持部、７  ホルダ、８  正面カバー、９  脚部、９Ａ，９Ｃ  第１脚部、９Ｂ，９Ｄ  第２脚部、１０，１０Ａ  脚カバー、１０Ｂ  干渉回避部、１１  電力変換器、１２  第２の固定部材、１２Ａ  第１平面部、１２Ｂ  第２平面部、１２Ｃ  曲面部、１２Ｄ，１２Ｅ，１５Ｆ，１５Ｌ，２４  貫通孔、１３  基板、１４  第１の固定部材、１５  内部カバー、１５Ａ  箱部、１５Ｂ  外周部、１５Ｃ  ケーブル孔、１５Ｄ，２１  上面、１５Ｅ  板部、１５Ｇ，１５Ｈ，１５Ｉ，１５Ｊ，１５Ｋ  取付孔、１６  枠、１７  被取付け部、１７Ａ  第１の被取付け部、１７Ｂ  第２の被取付け部、１８  複数の第１の取付け孔、２２  側面、２２Ａ  一方の側面、２２Ｂ  他方の側面、２３  背面、２５  底面、３１  第１の部位、３２  第２の部位、３３  第３の部位、６１  切り欠き、６２  引出口、７１  収納部、７２  複数の第２の取付け孔。
【要約】
充電装置（１）は、筐体（２）と、筐体（２）の内部に配置されている電力変換器（１１）に接続されていて第２の端部が筐体（２）の外部に位置するケーブル（３）と、筐体（２）の外部の空間であってケーブル（３）の一部が位置する空間を覆うことが可能で着脱可能な外部カバー（５）と、筐体（２）の外部に位置していてケーブル（３）の上記の空間からの出口である引出口（６２）が形成されておりケーブル（３）の一部を支持するための第１支持部（６Ａ）及び第２支持部（６Ｂ）とを有する。ケーブル（３）の第１の端部と第２の端部との間の第１の部位は、筐体（２）の上面（２１）に形成されている貫通孔に位置しており、ケーブル（３）の第１の部位と第２の端部との間の第２の部位は、第１支持部（６Ａ）又は第２支持部（６Ｂ）によって支持される。上記の貫通孔から第１支持部（６Ａ）への向きは、上記の貫通孔から第２支持部（６Ｂ）への向きと異なる。【図１】
0006765576.tif 000002
【図２】
0006765576.tif 000003
【図３】
0006765576.tif 000004
【図４】
0006765576.tif 000005
【図５】
0006765576.tif 000006
【図６】
0006765576.tif 000007
【図７】
0006765576.tif 000008
【図８】
0006765576.tif 000009
【図９】
0006765576.tif 000010
【図１０】
0006765576.tif 000011
【図１１】
0006765576.tif 000012
【図１２】
0006765576.tif 000013
【図１３】
0006765576.tif 000014
【図１４】
0006765576.tif 000015
【図１５】
0006765576.tif 000016
【図１６】
0006765576.tif 000017
【図１７】
0006765576.tif 000018
【図１８】
0006765576.tif 000019
【図１９】
0006765576.tif 000020
【図２０】
0006765576.tif 000021
【図２１】
0006765576.tif 000022
【図２２】
0006765576.tif 000023